(57)【要約】【課題】　従来における椅子にあっては、例えば、心材である発泡ウレタンに変えて比較的硬度の高い材料のものを使用した場合には、クッション性が悪くなるので、クッション性を有する素材に限定されてしまい、素材の選択が非常に限られてしまうといった問題があった。【解決手段】　座面４ａから背凭れ４ｂを構成するフレーム４に、多数の短冊部材７を弾性を持って取付けた椅子である。【選択図】　　　　図１
2004141649.tif 000002
【特許請求の範囲】
【請求項１】
座面から背凭れを構成するフレームに、多数の短冊部材を弾性を持って取付けたことを特徴とする椅子。
【請求項２】
前記短冊部材の両端は前記フレームに対してスプリングを介在させて取付けたことを特徴とする請求項１記載の椅子。
【請求項３】
前記短冊部材の両端は弾性を有する合成樹脂で構成され、かつ、肉薄の弾性部を形成して、該弾性部においてクッション性を持たせた取付部材に取付けられたことを特徴とする請求項１記載の椅子。
【請求項４】
前記短冊部材の両端は弾性を有する合成樹脂で構成され、かつ、肉薄の弾性部と空間部とを有し、また、空間部を構成する上側または下側に凹部を形成すると共に、該凹部と対向して該凹部に入り込む凸部を形成したことを特徴とする請求項１記載の椅子。
【請求項５】
前記短冊部材は比較的硬度の高い材質の部材で構成されており、該短冊部材の両端をスプリングを介して前記フレームに取付けたことを特徴とする請求項２記載の椅子。
【請求項６】
前記短冊部材は前記弾性部を有する取付部材と、該取付部材に対して比較的硬度の高い短冊部材の両端を嵌合固定したことを特徴とする請求項３および４記載の椅子。
【請求項７】
前記短冊部材は予め人の体型に合わせて湾曲されていることを特徴とする請求項５および６記載の椅子。
【発明の詳細な説明】
【技術分野】
【０００１】
　本発明は座面および背凭れに対して衝撃吸収装置を施した椅子の改良に関する。
【背景技術】
【０００２】
　従来における理美容用椅子にあっては、例えば、特開平１１−１８８６７号公報に開示されたものがある。この出願のものは、座部基板および背凭れ基板の上にクッション材である発泡ウレタンを取付け、該発泡ウレタンを覆うように塩化ビニールやウレタンレザーを取付けたものであった。
【特許文献１】特開平１１−１８８６７号公報
【発明の開示】
【発明が解決しようとする課題】
【０００３】
　ところで、従来における椅子にあっては、例えば、芯材である発泡ウレタンに変えて比較的硬度の高い材料のものを使用した場合には、クッション性が悪くなるので、クッション性を有する素材に限定されてしまい、素材の選択が非常に限られてしまうといった問題があった。
【０００４】
　本発明は前記した問題点を解決せんとするもので、その目的とするところは、座面および背凭れに対してクッション性を持たせることができると共に素材の選択が自由に行え、従って、従来に存在しない新規な椅子を制作することができる椅子を提供せんとするにある。
【課題を解決するための手段】
【０００５】
　本発明の椅子は前記した目的を達成せんとするもので、請求項１の手段は、座面から背凭れを構成するフレームに、多数の短冊部材を弾性を持って取付けたものである。
【０００６】
　請求項２の手段は、前記請求項１において、前記短冊部材の両端は前記フレームに対してスプリングを介在させて取付けたものである。
【０００７】
　請求項３の手段は、前記請求項１において、前記短冊部材の両端は弾性を有する合成樹脂で構成され、かつ、肉薄の弾性部を形成して、該弾性部においてクッション性を持たせた取付部材に取付けられたものである。
【０００８】
　請求項４の手段は、前記請求項１において、前記短冊部材の両端は弾性を有する合成樹脂で構成され、かつ、肉薄の弾性部と空間部とを有し、また、空間部を構成する上側または下側に凹部を形成すると共に、該凹部と対向して該凹部に入り込む凸部を形成したものである。
【０００９】
　請求項５の手段は、前記請求項２において、前記短冊部材は比較的硬度の高い材質の部材で構成されており、該短冊部材の両端をスプリングを介して前記フレームに取付けたものである。
【００１０】
　請求項６の手段は、前記請求項３および４において、前記短冊部材は前記弾性部を有する取付部材と、該取付部材に対して比較的硬度の高い短冊部材の両端を嵌合固定したものである。
【００１１】
　請求項７の手段は、前記請求項５および６において、前記短冊部材は予め人の体型に合わせて湾曲させたものである。
【発明の効果】
【００１２】
　本発明は、座面から背凭れを構成するフレームに、多数の短冊部材を弾性を持って取付けたので、クッション性を得ながら使用する部材の選択の幅が広がるので、デザイン的にも非常に多数のバリエーションの椅子を制作することが可能である。
【００１３】
　また、短冊部材を予め人の体型に合わせて湾曲しておくことにより、座りごごちが優れており、理美容用椅子として使用した場合に被施術者に長時間の施術であっても苦痛を与えることがない等の効果を有するものである。
【発明を実施するための最良の形態】
【００１４】
　座面から背凭れを構成するフレームに、多数の短冊部材を弾性を持って取付けることで、クッション性を得ながら使用する部材の選択の幅を広げることが可能となり、その結果、デザイン的にも多数のバリエーションの椅子を啓作することが可能となった。
【実施例１】
【００１５】
　以下、本発明に係る椅子の第１の実施例を図１，２と共に説明する。
　図１において、１は台座、２は該台座１に取付けられた油圧手段等によってピストン（図示せず）が昇降する昇降装置、３は該昇降装置２おピストンの先端に取付けられた昇降台にしてＸ字状に形成されている。なお、２ａは前記昇降装置２を上下動させるための操作杆である。
【００１６】
　４は座面枠４ａと背凭れ枠４ｂを構成する金属パイプ等で構成されたフレーム、５はフレーム４における座面枠４ａの前方に両端５ａが固定され、中間部５ｂが背凭れ枠４ｂの背面側において固定された肘掛け、６は前記フレーム４における座面枠４ａの先端に両端６ａが固定され、中間部６ｂが斜め下方に垂下されて足乗せ部となっている。以上の構造は公知のものである。
【００１７】
　次に、座面および背凭れを構成するアクリル板、樹脂板、アルミ板、金属製角パイプ、木等で形成された短冊部材７の構造を図２と共に説明する。
　座面枠４ａおよび背凭れ枠４ｂの所望間隔毎に孔４ｃが形成されており、この孔４ｃに支持パイプ８が固定されている。この支持パイプ８には一端が短冊部材７に固定されたスライド杆７ａが摺動自在に嵌挿され、該スライド杆７ａの外周と支持パイプ８との間にスプリング９が介在されている。
【００１８】
　前記座面枠４ａには相対抗する座面枠間を連結する略アーチ状の連結板４ｄが一体的に取付けられており、下面側には２個の前記昇降台３に形成された取付金具（図示せず）に係合固定される取付部材４ｅが形成されている。これにより、短冊部材７は昇降台３に固定されるので、フレーム４は昇降台３に固定されることとなる。
【００１９】
　なお、前記したフレーム４に両端が固定された連結板４ｄは、昇降台３に取付ける部分のみに形成され、すなわち、図１において２つの短冊部材７のみに形成されているものであり、その他の短冊部材７には連結部材４ｄはなく、両端が前記スプリング９を介してフレーム４に対して上下動自在に支持されるだけのものである。
【００２０】
　このように構成された本発明の椅子にあっては、着座しない状態では図２（ａ）に示すように、スプリング９の断発力によって短冊部材７は上方に押し上げられている。この状態において、人が座ると、該人の体重によってスプリング９のバネ力に抗してスライド部材７ａが下降するので、この下降する状態におけるスプリング９のバネ力分だけ短冊部材７には弾性力が作用するものである。
【実施例２】
【００２１】
　次に、第２の実施例を図３〜図５と共に説明する。なお、前記した第１の実施例における符号と同一符号は同一部材を示し、説明は省略する。
　この実施例にあっては、短冊部材７は前記した実施例と同様な材料で形成されているが、該短冊部材７をフレーム４に取付ける構造が全く異なるものである。　　
【００２２】
　すなわち、フレーム４の左右には弾性を有する構成樹脂等で形成した取付部材１０が取付けられ、この取付部材１０に短冊部材７を取付けたものである。前記取付部材１０は、短冊部材７の端部が嵌合固定される挿入部１０ａが形成され、該挿入部１０ａの下面側には側面形状で空間部１０ｂを構成する両側に中空の弾性部１０ｃが形成され、該弾性部１０ｃを介して前記挿入部１０ａと対向してフレーム４にネジ止めするための取付部１０ｄが一体的に形成されたものである。
【００２３】
　なお、取付部１０ｄには該取付部１０ｄに対して回転不能な状態で鬼目ナットやインサートナット等のナット１０ｅが固定されている。また、フレーム４における座面部４ａには昇降台３に固定するための取付金具１１が取付けられている。
【００２４】
　このように部材からなる椅子は、図５に示すように、取付部材１０のナット１０ｅに、フレーム４に形成された孔の下側から挿入されたボルト１３を差し込み、取付部１０ｄに内蔵されたナット１０ｅにボルト１３をねじ込んで固定する。次いで、取付部材１０の挿入部１０ａに短冊部材７の端部を嵌合固定することで椅子は完成する。
【００２５】
　このように構成した椅子にあっては、人が着座しない状態にあっては、図４の（ａ）に示すように、弾性部１０ｃの弾力性によって弾性部１０ｃは側面形状において丸形状となっているが、人が座ると体重によって弾性部１０ｃ丸形状から楕円形状となるので、この形状差による弾性力が短冊部材７に作用するものである。
【実施例３】
【００２６】
　次に、第３の実施例を図６〜図８と共に説明する。なお、第２の実施例と同一符号は同一部材を示し説明は省略する。
　この実施例にあっては、前記した第２の実施例の変形例であって、弾性部１０ｃを第２の実施例が円状であるのに対して半円状となし、また、空間部１０ｂを構成する上面側の左右に凹部１ｂ1 を形成すると共に、下面側の左右に前記凸部１ｂ1 と対向して凸部１ｂ2 を形成した点で相違するものである。
【００２７】
　このように構成した椅子にあっては、人が着座しな状態にあっては、図６（ａ）、図７に示すように、弾性部１０ｃおよび空間部１０ｂの左右の起立部との弾性力によって短冊部材７を押し上げる状態となっている。
【００２８】
　この状態において、人が着座すると、その押圧力によって図６（ｂ）、図８に示すように、弾性部１０ｃおよび空間部１０ｂ内の体積が少なくなる。そして、空間部１０ｂ内の体積が減少することから、該空間部１０ｂを構成する凸部１０ｂ2 が凹部１０ｂ1 内に入り込む。この結果、短冊部材７側は左右方向への移動が前記凸部１０ｂ2 が凹部１０ｂ1 内に入り込むことで防止されるので、着座した人の衣服がずれるようなことがなくなるものである。
【００２９】
　なお、前記した第３の実施例においては、凹部１０ｂ1 を空間部１０ｂを構成する上面側に、凸部１０ｂ2 を下面側に形成したものを示したが、凹部１０ｂ1 、凸部１０ｂ2 は上下逆面に形成してもよいことは勿論のことである。また、全ての実施例における短冊部材７は、予め人の体型に合うように湾曲させておくこともでき、この場合には、より座りごこちが良くなるものである。
【産業上の利用可能性】
【００３０】
　座面および背凭れに対して短冊状に形成された衝撃吸収が施されていることから、理美容用椅子として特に好適な椅子である。
【図面の簡単な説明】
【００３１】
【図１】本発明に係る椅子の第１の実施の形態を示す全体の斜視図である。
【図２】（ａ）は着座していない状態の側面図、（ｂ）着座した状態の断面図である。
【図３】第２の実施の形態を示す全体の斜視図である。
【図４】（ａ）は着座していない状態の側面図、（ｂ）着座した状態の断面図である。
【図５】同上の短冊部材をフレームに取付けた状態を示す拡大断面図である。
【図６】第３の実施例を示し、（ａ）は着座していない状態の側面図、（ｂ）は着座した状態の断面図である。
【図７】同上（ａ）の短冊部材をフレームに取付けた状態を示す拡大断面図である。
【図８】図６（ｂ）の着座状態における断面図である。
【符号の説明】
【００３２】
　４　　　　　フレーム
　４ａ　　　　座面部
　４ｂ　　　　背凭れ部
　７　　　　　短冊部材
　９　　　　　スプリング
　１０　　　　取付部材
　１０ｂ　　　空間部
　１０ｂ1 　　凹部
　１０ｂ2 　　凸部
　１０ｃ　　　弾性部
【図１】
2004141649.tif 000003
【図２】
2004141649.tif 000004
【図３】
2004141649.tif 000005
【図４】
2004141649.tif 000006
【図５】
2004141649.tif 000007
【図６】
2004141649.tif 000008
【図７】
2004141649.tif 000009
【図８】
2004141649.tif 000010